【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
カードトップ針布を有する少なくとも１つのカードトップバーが設けられていて、該カードトップ針布がシリンダの針布と向き合うように位置決めされており、少なくともカードトップバーに面したカードトップ針布の領域が鉄系材料、特に鋼で作られている、木綿、合成繊維などのためのカードの構造において、
カードトップバー（１４）とカードトップ針布（２４；２４1，２４2）のカードトップバー（１４）に面した領域（２６’）の間に少なくとも１つの磁石部材（２９；２９a〜２９n）が設けられていることを特徴とする構造。
【請求項２】
磁石部材がカードトップバーに固定されていることを特徴とする請求項１に記載の構造。
【請求項３】
磁石部材が接着剤の層などによって固定されていることを特徴とする請求項２に記載の構造。
【請求項４】
磁石部材がねじなどによって固定されていることを特徴とする請求項２に記載の構造。
【請求項５】
磁石部材が永久磁気材料で作られていることを特徴とする請求項１〜４のいずれかに記載の構造。
【請求項６】
磁力が、布に作用する力、例えばカーディング力、回転クリーニングローラなどの力より大きいことを特徴とする請求項１〜５のいずれかに記載の構造。
【請求項７】
針布が磁石部材から取り外し可能であることを特徴とする請求項１〜６のいずれかに記載の構造。
【請求項８】
針布が固定要素としての磁石部材によってカードトップバーに結合させられていることを特徴とする請求項１〜７のいずれかに記載の構造。
【請求項９】
針布が磁石部材から可逆的に取り外し可能であることを特徴とする請求項１〜８のいずれかに記載の構造。
【請求項１０】
針布が、裏当て層、例えば繊維層などに設定され、ほぼＵ字形に曲げられたワイヤなどからなり、該ワイヤがＵ字形のウェブ部分が裏当て層の裏側に出るように差しこまれていることを特徴とする請求項１〜９のいずれかに記載の構造。
【請求項１１】
補償層がカードトップバーとカードトップ針布の間に存在し、該補償層がカードトップバーとカードトップ針布の間の異なる隙間を補償できるようになっていることを特徴とする請求項１〜１０のいずれかに記載の構造。
【請求項１２】
補償層が、カードトップ針布の裏面とカードトップバー脚部表面の間の異なる隙間を補償できるようになっていることを特徴とする請求項１〜１１のいずれかに記載の構造。
【請求項１３】
補償層が、カードトップヘッドのすべり面とカードトップバー脚部表面の間の異なる隙間を補償できるようになっていることを特徴とする請求項１〜１２のいずれかに記載の構造。
【請求項１４】
補償層が、カードトップヘッドのすべり面と針布の先端によって形成された円の間の異なる隙間を補償できるようになっていることを特徴とする請求項１〜１３のいずれかに記載の構造。
【請求項１５】
補償層が、針布の先端によって形成された円とシリンダの針布の先端によって形成された円の間の異なる隙間を補償できるようになっていることを特徴とする請求項１〜１４のいずれかに記載の構造。
【請求項１６】
シリンダ針布の上面が、カードトップバーおよびカードトップ針布の方位の基準表面を構成することを特徴とする請求項１〜１５のいずれかに記載の構造。
【請求項１７】
補償層が、裏面と脚部表面の間の局部的に異なる隙間を補償できるようになっていることを特徴とする請求項１〜１６のいずれかに記載の構造。
【請求項１８】
カードトップバーが回転するカードトップの一部をなすことを特徴とする請求項１〜１７のいずれかに記載の構造。
【請求項１９】
カードトップバーが固定カーディングエレメントであることを特徴とする請求項１〜１７のいずれかに記載の構造。
【請求項２０】
可撓性の針布が存在することを特徴とする請求項１〜１９のいずれかに記載の構造。
【請求項２１】
可撓性の針布がキャリヤと、針布チップ、ワイヤ、フックなどとからなることを特徴とする請求項２０に記載の構造。
【請求項２２】
キャリヤがストリップ状であることを特徴とする請求項２１に記載の構造。
【請求項２３】
針布が鋸歯ワイヤストリップ、例えばオールスチールの針布からなることを特徴とする請求項１〜２２のいずれかに記載の構造。
【請求項２４】
針布が脚部表面の領域においてカードトップバーに取り付けられていることを特徴とする請求項１〜２３のいずれかに記載の構造。
【請求項２５】
プラスチック材料、人工樹脂、例えばエポキシ樹脂などが補償物質として設けられていることを特徴とする請求項１〜２４のいずれかに記載の構造。
【請求項２６】
カードトップバーが軽金属、例えばアルミニウムからなる押出し成形品であることを特徴とする請求項１〜２５のいずれかに記載の構造。
【請求項２７】
押出し成形品が中空の形であることを特徴とする請求項２６に記載の構造。
【請求項２８】
２つのエンドピース（カードトップ頭）がキャリヤ本体と結合していることを特徴とする請求項１〜２７のいずれかに記載の構造。
【請求項２９】
エンドピースが焼入鋼などからなるピンであることを特徴とする請求項２８に記載の構造。
【請求項３０】
キャリヤ部材（織物材料）および補償層が脚部表面（キャリヤ本体）の凹部の中に配置されていることを特徴とする請求項１〜２９のいずれかに記載の構造。
【請求項３１】
凹部が、キャリヤ本体の長手側において少なくとも２つの横ウェブなどによって制限されていることを特徴とする請求項３０に記載の構造。
【請求項３２】
曲げられたワイヤの背骨の部分が位置する針布ストリップの下側が、カードトップバーに固定された磁石によって確実に保持固定されていることを特徴とする請求項１〜３１のいずれかに記載の構造。
【請求項３３】
針布ストリップが、例えばカードトップバーに取り付けられたウェブによってキャリヤ層の側面に横から付加的に固定されていることを特徴とする請求項１〜３２のいずれかに記載の構造。
【請求項３４】
針布ストリップはすべて、例えば設定構造に関係なく磁石によってフレキシビリティに保持されるように配置され、それで、カードトップバーへの結合が作られることを特徴とする請求項１〜３３のいずれかに記載の構造。
【請求項３５】
結合が、例えばカードトップバーに固定されたシートメタル部材によって機械的に支持されることを特徴とする請求項３４に記載の構造。
【請求項３６】
針布ストリップが、例えばウェブによって機械的に保持されることによって水平面内で付加的に固定または保持されるようになっていることを特徴とする請求項１〜３５のいずれかに記載の構造。
【請求項３７】
２つのウェブが長手方向の側部に存在し、および／または、２つのウェブが横方向の側部に存在することを特徴とする請求項３６に記載の装置。
【請求項３８】
カードトップバーの磁石と接触させられたシートメタル部材が接着性の補償層を介して付加的に固定された針布ストリップが収納されていることを特徴とする請求項１〜３７のいずれかに記載の構造。
【請求項３９】
垂直方向の結合が機械的に支持されることを特徴とする請求項１〜３８のいずれかに記載の構造。
【請求項４０】
針布ストリップが、キャリヤ層があるだけでワイヤが一切埋め込まれていないその外エッジに、例えばワイヤ爪を付加的に付けていることを特徴とする請求項１〜３９のいずれかに記載の構造。
【請求項４１】
磁石部材、例えば磁石テープ、磁石ストリップ、磁石バーなどがカードトップバーの縦方向に延びていることを特徴とする請求項１〜４０のいずれかに記載の構造。
【請求項４２】
複数の磁石コンポーネントがカードトップバーの縦方向に存在することを特徴とする請求項１〜４１のいずれかに記載の構造。
【請求項４３】
磁石コンポーネントが互いに間隔をあけて配置されていることを特徴とする請求項４２に記載の構造。
【請求項４４】
磁石コンポーネントが互いに関してオフセットで配置されていることを特徴とする請求項４２に記載の構造。
【請求項４５】
オフセット配置の向きが動作方向であることを特徴とする請求項４４に記載の構造。
【請求項４６】
磁石材料から作られたベースがカードトップ針布の裏側に配置されていることを特徴とする請求項１〜４５のいずれかに記載の構造。
【請求項４７】
前記ベースが鋼テープ、シートメタル部材などであることを特徴とする請求項４６に記載の構造。
【請求項４８】
前記ベースがその側部に、ある角度で曲げられたアタッチメント、ウェブなどを有することを特徴とする請求項４６または４７に記載の構造。
【請求項４９】
カードトップ針布が、各々、磁石によって保持された少なくとも２グループの針布を有することを特徴とする請求項１〜４８のいずれかに記載の構造。
【請求項５０】
少なくとも２グループの針布が、各々、シリンダ針布に関して１つのヒールゾーンを有することを特徴とする請求項４９に記載の構造。
【請求項５１】
カードトップ針布が、針布付きローラ、例えばシリンダに関して軸方向に配置された多数の純鋼の布ワイヤからなることを特徴とする請求項１〜５０のいずれかに記載の構造。
【請求項５２】
カードトップ針布が、少なくとも１つの磁石部材によってカードトップバーに保持されていることを特徴とする請求項１〜５１のいずれかに記載の構造。
【請求項５３】
カードトップバーが繊維強化プラスチック材料からなることを特徴とする請求項１〜５２のいずれかに記載の構造。
【請求項５４】
繊維強化プラスチック材料がガラス繊維強化プラスチック材料であることを特徴とする請求項５３に記載の構造。
【請求項５５】
繊維強化プラスチック材料が炭素繊維強化プラスチック材料であることを特徴とする請求項５３に記載の構造。
【請求項５６】
磁石部材が繊維強化プラスチック材料に一体化していることを特徴とする請求項５３〜５５のいずれかに記載の構造。
【請求項５７】
磁石部材がプラスチックのカードトップバーと一体で鋳造されていることを特徴とする請求項１〜５６のいずれかに記載の構造。
【請求項５８】
磁石部材が鋳造またはプレス加工によってプラスチックのカードトップバーに嵌入していることを特徴とする請求項１〜５６のいずれかに記載の構造。
【請求項５９】
磁石部材がプラスチックのカードトップバーの製作中に組み込まれることを特徴とする請求項１〜５６のいずれかに記載の構造。
【請求項６０】
縦方向エッジと境を接するエッジ領域のうち少なくとも１つ、好ましくは各々がチップ（２６）を付けていることを特徴とする請求項１〜５９のいずれかに記載の構造。